(57)【要約】【課題】  筆記部を突出させる際、前記細線部が軸筒内で前進し、やがてその前進移動が規制され湾曲動作へと移行するが、このとき、その湾曲した部分が軸筒の内面に接触し、この接触が抵抗となり前記突出操作を若干ではあるが重くしてしまっていた。通常、大人が使用するのであるならば特に問題はないが、小学生、特に低学年の学童が使用する場合には、些か使用しにくい面も見受けられた。【構成】  軸筒内に出没可能な筆記体を有し、その筆記体の前後動作に連動して前記筆記体の筆記部を密閉するシール蓋とシール筒部を有する出没式筆記具において、前記シール蓋と筆記体に固定されたガイド筒を複数の細線部で連接すると共に、前記細線部を変形しやすい部分と変形しにくい部分とから構成し、また、その細線部の前進後退により前記シール蓋のシール筒部に対する開閉をなした出没式筆記具【選択図】        図１
2006334856.tif 000002
【特許請求の範囲】
【請求項１】
軸筒内に出没可能な筆記体を有し、その筆記体の前後動作に連動して前記筆記体の筆記部を密閉するシール蓋とシール筒部を有する出没式筆記具において、前記シール蓋と筆記体に固定されたガイド筒を複数の細線部で連接すると共に、前記細線部を変形しやすい部分と変形しにくい部分とから構成し、また、その細線部の前進後退により前記シール蓋のシール筒部に対する開閉をなしたことを特徴とする出没式筆記具。
【請求項２】
前記細線部の変形しやすい部分に切り欠き部を形成したことを特徴とする請求項１記載の出没式筆記具。
【請求項３】
前記細線部の変形しやすい部分と変形しにくい部分の断面形状を異ならしめたことを特徴とする請求項１、或いは、請求項２に記載の出没式筆記具。
【請求項４】
記細線部の変形しやすい部分と変形しにくい部分を２色成形、又はインサート成形の要領で形成したことを特徴とする請求項１〜請求項３の何れかに記載の出没式筆記具。
【発明の詳細な説明】
【技術分野】
【０００１】
本発明は、軸筒内に出没可能な筆記体を有し、その筆記体の前後動作に連動して前記筆記体の筆記部を密閉するシール蓋とシール筒部を有する出没式筆記具に関するものである。
【背景技術】
【０００２】
ノック操作により筆記体の前進と共に糸状部材がゆるみ、また、筆記体の先端筆記部がシール蓋を押し上げ、筆記状態に係止させる出没式筆記具が知られている。具体的に説明する。ノックの前方には、ノックの前進と共に前進する筆記体が配置されている。その筆記体の前方には、筆記体の先端筆記部を密封するシール筒が設けられている。そのシール筒には、前記ノックの前進に伴って開閉するシール蓋が開閉自在に取り付けられているが、それら、ノックとシール蓋とは糸状部材によって連結されており、その糸状部材が緩むとシール蓋が開き得るようになっている。
しかし、そのシール蓋は自重で開くものとなっており、前記糸状部材の摩擦抵抗やシール蓋の開閉部の摩擦抵抗如何では自重のみの力では開かない場合があった。この様なときには、前記先端筆記部がシール蓋の裏面に当接し、先端筆記部がシール蓋を押し上げ開くようになっている。特に、先端筆記部を上向きにした状態でシール蓋を開かせる場合には、必ず、先端筆記部がシール蓋の裏面に当接し開いていた。
【０００３】
ところで、先端筆記部がシール蓋の裏面に当接してしまうと、そのシール蓋の裏面にインキなどが付着してしまい、密閉性を著しく悪いものとしてしまっていた。
そこで、本願出願人は、以前に、ノック部材を押圧することによって筆記体を出没させると共に、蓋体の開閉も前記ノック部材に連動させた筆記具を発明した。その要旨を「軸筒内に出没可能な筆記体を有し、その筆記体の前後動作に連動して前記筆記体の筆記部を密閉するシール蓋とシール筒部を有する出没式筆記具において、前記シール蓋と筆記体に固定されたガイド筒を複数の細線部で連接すると共に、前記シール蓋と細線部を一体で形成し、その細線部の前進後退により前記シール蓋のシール筒部に対する開閉をなしたことを特徴とする出没式筆記具。」としている。
【特許文献１】特公平５−６８３６０号公報。
【特許文献２】特開２００５−７８５０号公報。
【発明の開示】
【発明が解決しようとする課題】
【０００４】
前記の従来技術は、確実にシール蓋とシール筒部の密閉がなされると言った効果を奏している。しかしながら、出没操作の容易性に些か開発の余地が残されていた。つまり、筆記部を突出させる際、前記細線部が軸筒内で前進し、やがてその前進移動が規制され湾曲動作へと移行するが、このとき、その湾曲した部分が軸筒の内面に接触し、この接触が抵抗となり前記突出操作を若干ではあるが重くしてしまっていた。通常、大人が使用するのであるならば特に問題はないが、小学生、特に低学年の学童が使用する場合には、些か使用しにくい面も見受けられた。
そこで、本願出願は、より容易に突出操作が行える出没式筆記具を目的とし、本発明をなした。
【課題を解決するための手段】
【０００５】
本発明は、軸筒内に出没可能な筆記体を有し、その筆記体の前後動作に連動して前記筆記体の筆記部を密閉するシール蓋とシール筒部を有する出没式筆記具において、前記シール蓋と筆記体に固定されたガイド筒を複数の細線部で連接すると共に、前記細線部を変形しやすい部分と変形しにくい部分とから構成し、また、その細線部の前進後退により前記シール蓋のシール筒部に対する開閉をなしたことを要旨とする。
【発明の効果】
【０００６】
本発明は、軸筒内に出没可能な筆記体を有し、その筆記体の前後動作に連動して前記筆記体の筆記部を密閉するシール蓋とシール筒部を有する出没式筆記具において、前記シール蓋と筆記体に固定されたガイド筒を複数の細線部で連接すると共に、前記細線部を変形しやすい部分と変形しにくい部分とから構成し、また、その細線部の前進後退により前記シール蓋のシール筒部に対する開閉をなしたので、先端筆記部がシール蓋の裏面に触れることもなく、また、容易に突出操作が行える出没式筆記具を提供することができる。
【発明を実施するための最良の形態】
【０００７】
図１〜図８に示し説明する。軸筒１は、前方軸部２と後方軸部３から構成されており、それらは凹凸嵌合などの手段によって連結・固定されている。その軸筒１の内部には、弾発部材４を介して移動不能に樹脂成形品からなるシール筒部５がセットされている。そのシール筒部５の後方内面には、樹脂材質から形成され、エタノールなどを含むインキを収容した筆記体６が配置されている。その筆記体６は、前軸７とその前軸７に着脱自在に螺合・固定したカートリッジ８から構成されている。又、前記シール筒部５には、筆記体６の前軸７の前方の外壁と密閉を保つための内方リブ５ａが円周上に形成されている。更に、前記樹脂材質からなるシール筒部５には、シール蓋９がとり付けられており、そのシール蓋９には、３本の細線部１０、１１、１２が放射状にしかも等間隔（１２０度間隔）な位置に一体に形成されている。尚、その細線部１０、１１の後端はガイド筒１３に一体に連結されているが、細線部１２はガイド筒１３に摺動可能に取り付けられている。そして、ガイド筒１３とシール筒部５との間には、前記弾発部材４が張設されており、その弾発部材４の付勢によって、前記シール蓋９が後方に押し当てられ、そのシール蓋９とシール筒部５との密閉が保たれている。
【０００８】
図３は、図１の主要部品の正面図である。前記細線部１０、１１のシール蓋９側を変形しやすい部分（領域）１０ａ、１１ａとし、ガイド筒部５側を変形しにくい部分（領域）１０ｂ、１１ｂとしている。これら、変形しやすい部分と変形しにくい部分の領域の割合は適宜であるが、変形しやすい部分よりも変形しにくい部分の領域を多く採るのが好ましい。尚、細線部の変形しやすい部分と変形しにくい部分の変形とは、楕円状や円弧状にたわみ・湾曲する状態や、折り畳まれるような状態、コイルのように圧縮される状態などを言うものである。
以下、細線部の変形しやすい部分と変形しにくい部分を構成する具体例を種々説明する。
第１の手段として、細線部１０、１１の材質の硬度差によって構成する手段がある。例えば、ガイド筒部５側の細線部１０、１１の変形しにくい部分１０ｂ、１１ｂの材質の硬度を高くする一方、シール蓋９側の細線部１０、１１の変形しやすい部分１０ａ、１１ａの材質の硬度を低くする例である。そして、これら変形しにくい部分１０ｂ、１１ｂと変形しやすい部分１０ａ、１１ａを２色成形やインサート成形の要領で成形してもよい。尚、ガイド筒部５側の細線部１０、１１を変形しやすい部分として、シール蓋９側の細線部１０、１１を変形しにくい部分としてもよい。
前記細線部１０、１１の材質の例としては、変形しやすい部分にポリプロピレンやポリエチレンなどを使用し、変形しにくい部分にポリスチロールやアクリロニトリル-スチレン、アクリロニトリル−ブタジエン−スチレン、ポリカーボネート、ポリアセタール、ポリブチレンテレフタレート、ポリエチレンテレフタレートなどを使用する例が挙げられる。また、ポリプロピレンやポリエチレンを変形しにくい部分に使用する場合は、変形しやすい部分に硬度の低いエラストマーなどを選択するとよい。その他に金属と樹脂との組み合わせ、金属同士であっても固い金属と柔らかい金属との組み合わせなどが１例として挙げられる。
【０００９】
第２の手段として、前記細線部１０、１１の断面積、又は、形状を変更させる手段がある。例えば、ガイド筒部５側の細線部１０、１１の変形しにくい部分１０ｂ、１１ｂの断面積に対して、シール蓋９側の細線部１０、１１の変形しやすい部分１０ａ、１１ａの断面積を小さくしてもよい。また、細線部の断面形状を変えることによって、前記断面積を異ならしめてもよい。前記細線部１０、１１の変形しやすい部分１０ａ、１１ａの変形は、方向を問わずどの方向にも変形し得るようするのが好ましい。例えば、変形しやすい部分１０ａ、１１ａの断面形状を正方形や正五角形などの正多角形や円形にし、一方、変形しにくい部分１０ｂ、１１ｂの断面形状を長方形や楕円形などの長短部からなる形状、または凹凸のある形状、歯車形や星形とするのが好ましい。また、例えば、ガイド筒部５側の細線部１０、１１の変形しにくい部分１０ｂ、１１ｂの断面形状を長方形（図４ｃ参照）にした場合、シール蓋９側の細線部１０、１１の変形しやすい部分１０ａ、１１ａの断面形状を前記長方形の断面積よりも小さい正方形（図４ｂ参照）や円形としてもよい。さらに、ガイド筒部５側の細線部１０、１１の変形しやすい部分１０ａ、１１ａと変形しにくい部分１０ｂ、１１ｂの断面形状を同形状（例えば、円形状）とする場合には、変形しやすい部分１０ａ、１１ａの断面積よりも変形しにくい部分１０ｂ、１１ｂの断面積を大きくしてもよい（図４ｄ、図４ｅ参照）。
次に第３の手段として、変形しやすい部分１０ａ、１１ａに切り欠き部を設ける手段がある。ガイド筒部５側の細線部１０、１１の変形しにくい部分１０ｂ、１１ｂには、切り欠き部などは形成させず、シール蓋９側の細線部１０、１１の変形しやすい部分１０ａ、１１ａに複数の切り欠き部１０ｃを設けている。切り欠き部１０ｃの形状や形成数は特に限定されず、また、細線部１０、１１の面に対して切り欠き部１０ｃをどの面に設けてもよく、さらには、細線部の断面の全周に渡り切り欠き部１０ｃを設けても良い。切り欠き部１０ｃを設ける位置や形成数により、変形する部位を確実に設定することができるようになり、また、位置や形成数を変更させるときの試作なども簡単に行なうことができ、金型修正も容易となる。
【００１０】
尚、図５に示すように前記第２、第３の手段を組み合わせても良い。シール蓋９が細線部１２の先端近傍を回転中心として回転・拡開する際は、前記細線部１０、１１のシール蓋９側の細線部１０、１１の変形しやすい部分１０ａ、１１ａが、前方軸部２の前側内部の限られた空間に位置しているため、その空間部での湾曲・変形が容易なものとなる。具体的に説明すると、前記拡開動作によりシール蓋９が前方軸部２前側内部側面に接触するとシール蓋９の回転方向の動きが規制され、シール蓋９側の細線部１０、１１の変形しやすい部分１０ａ、１１ａが切り欠き部１０ｃとの相乗作用により湾曲・変形する。
以上、種々の例を挙げ説明したが、適宜組み合わせて細線部として形成しても良い。また、細線部の変形しやすい部分と変形しにくい部分は１箇所とは限らず、複数箇所、交互に設けても良い。例えば、シール蓋側の細線部とガイド筒側の細線部を変形しにくい部分とし、その他の部分を変形しやすい部分としても同様な効果が得られる。図５、図６に本発明の実施例の１つとして前記第２の手段と第３の手段を組み合わせた細線部を示す。つまり、細線部の変形しやすい部分１０ａ、１１ａと変形しにくい部分１０ｂ、１１ｂの断面積を異ならしめると共に、断面形状を異ならしめ、さらに、細線部の表面に切り欠き部１０ｃを形成した例である。
【００１１】
軸筒１（前方軸部２）の先端部は筆記体６の塗布先１４が出没可能に摺動する先端開口穴１５が設けられ、後端には筆記体６のカートリッジ８が交換可能で、且つ、後述する回転子１６、後方溝形成部材１８と着脱自在なノック部材１９が摺動可能な後端開口穴２０が設けられている。
又、後方軸部３の内面部には前方溝形成部１７が形成されており、その後方の内部には、後方溝形成部材１８が挿着・固定され、それら前方溝形成部１７並びに、後方溝形成部材１８の間には隙間が形成されている。つまり、軸筒１の内面には閉じた環状溝２１が形成されている。この環状溝２１は、後述する回転子突起が摺動する往路と復路で多少は異なるもののほぼ対称的な傾斜面を有する略ハート形状をなしたいわゆるハートカムを形成している。
前記環状溝２１には前方係止段部１８ａと後方係止段部１８ｂが形成されていると共に、前方係止段部１８Ａの対岸近傍には回転子突起１６ａの後方への移動方向を規制する段部１７ａが形成されている。また、前方溝形成部１７並びに、後方溝形成部材１８の内側には、筒状の回転子１６が配置されている。そして、その回転子１６の中空部には前記筆記体６のカートリッジ８が貫通した状態で挿通しており、また、回転子１６の前端面を前記前軸７の後端面に接触させている。つまり、この回転子１６の前軸７への接触によって、筆記体６全体を前進せしめることができるようになっているのである。そして、前記後方係止段部１８ｂの対岸近傍にも前記回転子１６に形成されている回転子突起１６ａと当接し、回転子１６の後方への移動方向を規制する段部１７ｂが形成されている。
また、前記回転子１６の前方外周には、新たなカム面１６ｂが形成されている。前記筆記体６（前軸７）は軸筒に対して、回転止め７ａと軸筒１（前方軸部２）の内面に形成した前方溝２ａの係合により、回転を規制されている。
更に、前記前軸７の後端面には、前記回転子カム面１６ｂに係合するカム係合部７ｂが形成されており、回転子１６の回転に伴う前進移動に従って、前記筆記体６は、そのカム面１６ｂによるストロークが、回転子１６自体の移動ストロークに加算されて前進する。
【００１２】
次に、動作について説明する。軸筒１に対して、摺動子の役割をするノック部材１９を押圧し前進させると、回転子１６が、環状溝２１内を前進斜面１７ｃに沿って回転しながら前進移動し、前方規制段部１７ａ前方に当接した状態で、ノック部材１９の押圧を解除すると、弾発部材４の付勢により、回転子突起１６ａは前方係止段部１８ａに当接し、回転子１６の前進状態を維持することができる。このとき、回転子１６の前進（Ｌ１）により筆記体６も前進するが、この際、回転子１６に形成されたカム面１６ｂの回転により、軸筒１（前方軸部２）内面に形成れた前方溝２ａと回転子回転止め７ａにより回転を規制された筆記体６は、カム係合部７ｂとカム面１６ｂとの係合により、そのカム面１６ｂの移動ストローク分（Ｌ２）更に前進し、筆記体ユニットの突出状態を維持する。
この筆記体６の突出のする過程で、ガイド筒１３は筆記体６に押され前進する。前記ガイド筒１３の前進に合わせて細線部１０、１１のシール蓋９側の細線部の変形しやすい部分１０ａ、１１ａが多少たわみながら前進するため、シール蓋９は細線部１２先端近傍を回転中心として回転・拡開し筆記状態となる。シール蓋９は前方軸部２前側内部側面に接触すると、シール蓋の回転方向の動きが規制される。このとき筆記体６は完全な突出状態ではなく前進し続けるため、ガイド筒１３、細線部もさらに前進する。この際、細線部１０、１１はシール蓋９側の細線部の変形しやすい部分１０ａ、１１ａに形成した切り欠きによりシール蓋９の回転方向に円弧状に湾曲するように変形し、また、細線部の上面に設けている凹凸部１０ｄ、１１ｄにより、回転方向から９０度方向にも湾曲・変形する。つまり、細線部１０ａ、１１ａは方向を問わずどの方向にも変形しやすくなっているため、その細線部１０ａ、１１ａは前方軸部２の前側内部の限られた空間で湾曲・変形することになり、細線部が変形する際に生じる抵抗力、前方軸部２の前側内部と細線部１０、１１との摩擦力がノック動作の抵抗力を小さくすることができるのである（図７参照）。
この状態で再度、弾発部材４に抗してノック部材１９を押圧すると、回転子突起１６ａは前方移動規制段部１７ａにより、前方係止段部１８ａから外れ、この状態でノック部材１９の押圧を解除すると、回転子突起１６ａは弾発部材４の付勢により、後退斜面１８ｃに沿って回転後退し、後方係止段部１８ｂに位置し筆記体収納状態へと復帰するとともに、回転子カム面も回転し、筆記体収納筒は収納状態へと復帰すると共に、シール蓋９が再びシール筒部５を密閉する。
【００１３】
次に、カートリッジ８の交換方法について説明する。最初に、ノック部材１９を軸筒１（後方軸部３）から長手方向に引き抜く。これによってカートリッジ８の後部近傍が軸筒１の後端開口部２０から露出する。次いで、そのカートリッジ８を前軸７に対して回転させ、回転子１６並びに、後方溝形成部材１８から抜き取るようにして、前軸７からカートリッジ８を分離させる。ここで、新しいカートリッジを軸筒１内に挿入し、前軸７に螺合する。次いで、ノック部材１９を再び後方軸部３に押し込み、カートリッジの交換が完了する。
【図面の簡単な説明】
【００１４】
【図１】本発明の一例を示す要部縦断面図（筆記体収納時）。
【図２】本発明の一例を示す要部縦断面図（筆記体突出時）。
【図３】本発明の主要部品を示す要部側面図。
【図４】（ａ）本発明の細線部の実施例の１つを示す要部側面図。  （ｂ）図４の一例を示す要部Ｘ部断面拡大図。  （ｃ）図４の一例を示す要部Ｙ部断面拡大図。  （ｄ）図４の一例を示す要部Ｘ部断面拡大図。  （ｅ）図４の一例を示す要部Ｙ部断面拡大図。
【図５】本発明の細線部の実施例の1つを示す要部側面図。
【図６】図５の細線部の実施例の１つを示す要部斜視図。
【図７】本発明の主要部品を示す要部縦断面図（筆記体突出時）。
【図８】本発明の環状溝と回転子カム面を示す平面展開図（筆記体突出時）。
【符号の説明】
【００１５】
１      軸筒
２      前方軸部
２ａ    前方溝
３      後方軸部
４      弾発部材
５      シール筒部
５ａ    内方リブ
６      筆記体
７      前軸
７ａ    回転止め
８      インキタンク
９      シール蓋
１０    細線部
１０ａ  変形しにくい部分
１０ｂ  変形しやすい部分
１０ｃ  切り欠き部
１０ｄ  凹凸部
１１    細線部
１１ａ  変形しにくい部分
１１ｂ  変形しやすい部分
１１ｃ  細線部切り欠き部
１１ｄ  凹凸部
１２    細線部
１３    ガイド筒
１４    塗布先
１５    先端開口穴
１６    回転子
１６ａ  回転子突起
１６ｂ  回転子カム面
１７    前方溝形成部
１７ａ  前方移動規制段部
１７ｂ  後方移動規制段部
１７ｃ  前進斜面
１８    後方溝形成部材
１８ａ  前方係止段部
１８ｂ  後方係止段部
１８ｃ  後退斜面
１９    ノック部材
２０    後端開口部
２１    環状溝
２２    インキ吸蔵体
【図１】
2006334856.tif 000003
【図２】
2006334856.tif 000004
【図３】
2006334856.tif 000005
【図４】
2006334856.tif 000006
【図５】
2006334856.tif 000007
【図６】
2006334856.tif 000008
【図７】
2006334856.tif 000009
【図８】
2006334856.tif 000010